(57)【要約】【課題】遠くまで香り成分を供給でき、且つ、視覚的に香りを識別しやすい浮遊性泡沫体等を提供する。【解決手段】浮遊性泡沫体Ｂは、大気中で浮遊する浮遊性泡沫体であって、香り成分を含む香り気体Ａと、香り気体Ａを内包し、水と色素と界面活性剤とを含む球状に形成された有色液膜Ｌ３と、を備える。【選択図】図２Ａ
2020005994.tif 000002
【特許請求の範囲】
【請求項１】
大気中で浮遊する浮遊性泡沫体であって、
香り成分を含む香り気体と、
前記香り気体を内包し、水と色素と界面活性剤とを含む球状に形成された有色液膜と、を備える
浮遊性泡沫体。
【請求項２】
前記香り気体は、前記香り成分を含む液体香料をミスト化した香りミストを含む
請求項１に記載の浮遊性泡沫体。
【請求項３】
前記液体香料は、疎水性を有する
請求項２に記載の浮遊性泡沫体。
【請求項４】
請求項１〜３のいずれか１項に記載の浮遊性泡沫体である第１泡沫体と、
請求項１〜３のいずれか１項に記載の浮遊性泡沫体である第２泡沫体と、を備え、
前記第１泡沫体と前記第２泡沫体とは、前記香り気体に含まれる前記香り成分及び前記色素がそれぞれ異なり、且つ、前記香り成分と前記色素とは、相関性を有する
泡沫集合体。
【請求項５】
香り成分を含む香り気体を生成する気体生成部と、
水と色素と界面活性剤とを含む有色溶液を生成する溶液生成部と、
前記有色溶液から形成される有色液膜が前記香り気体を覆った浮遊性泡沫体を発生する泡沫体発生部と、を備える
泡沫体発生装置。
【請求項６】
前記気体生成部は、前記香り成分を含む液体香料を気化することで前記香り気体を生成する
請求項５に記載の泡沫体発生装置。
【請求項７】
前記気体生成部は、前記香り成分を含む液体香料をミスト化した香りミストを生成することで、前記香りミストを含む前記香り気体を生成するミスト生成部を備える
請求項５又は６に記載の泡沫体発生装置。
【請求項８】
さらに、
それぞれが異なる香りを有する液体香料を収容する複数の第１容器を有する香料収容部と、
それぞれが異なる色の色素を収容する複数の第２容器を有する色素収容部と、
香り成分と色素との組み合わせを示す相関情報に基づいて、前記香料収容部及び前記色素収容部にそれぞれ収容されている液体香料及び色素を選択する選択部と、を備え、
前記気体生成部は、前記選択部が選択した液体香料を気化することで香り気体を生成し、
前記溶液生成部は、前記選択部が選択した色素を含む有色溶液を生成する
請求項６又は７に記載の泡沫体発生装置。
【発明の詳細な説明】
【技術分野】
【０００１】
本発明は、大気中で浮遊する浮遊性泡沫体、浮遊性泡沫体の集合である泡沫集合体、及び、浮遊性泡沫体を発生させる泡沫体発生装置に関する。
【背景技術】
【０００２】
従来、香りを含む気体をシャボン玉に封入させる技術がある（例えば、特許文献１参照）。
【０００３】
特許文献１に開示されているシャボン玉生成システムは、香りを含む気体が封入されたシャボン玉に、プロジェクタ等の画像投影部によって画像を投影する。こうすることで、シャボン玉によって香りだけでなく視覚的な情報を提供することができる。
【先行技術文献】
【特許文献】
【０００４】
【特許文献１】国際公開第２０１５／０３３４７７号
【発明の概要】
【発明が解決しようとする課題】
【０００５】
特許文献１に開示されているシステムのように、香りを含む気体をシャボン玉等の浮遊性泡沫体に封入させることで、浮遊性泡沫体が破裂するまで香りが大気に放出されないために、ミスト等によって香りを大気中に放出させる方法と比較して、より遠くまで香りを供給することができる。また、特許文献１に開示されているシステムのように、シャボン玉に画像を投影することで、例えば、シャボン玉にどのような香りが封入されているかを、シャボン玉を視認したユーザに伝達することができる。
【０００６】
しかしながら、特許文献１に開示されているシステムでは、シャボン玉で視覚的な情報を提供するためには、プロジェクタ等の大掛かりな設備が必要となる。
【０００７】
本発明は、遠くまで香り成分を供給でき、且つ、視覚的に香りを識別しやすい浮遊性泡沫体等を提供する。
【課題を解決するための手段】
【０００８】
本発明の一態様に係る浮遊性泡沫体は、大気中で浮遊する浮遊性泡沫体であって、香り成分を含む香り気体と、前記香り気体を内包し、水と色素と界面活性剤とを含む球状に形成された有色液膜と、を備える。
【０００９】
また、本発明の一態様に係る泡沫集合体は、上記記載の浮遊性泡沫体である第１泡沫体と、上記記載の浮遊性泡沫体である第２泡沫体と、を備え、前記第１泡沫体と前記第２泡沫体とは、前記香り気体に含まれる前記香り成分及び前記色素がそれぞれ異なり、且つ、前記香り成分と前記色素とは、相関性を有する。
【００１０】
また、本発明の一態様に係る泡沫体発生装置は、香り成分を含む香り気体を生成する気体生成部と、水と色素と界面活性剤とを含む有色溶液を生成する溶液生成部と、前記有色溶液から形成される有色液膜が前記香り気体を覆った浮遊性泡沫体を発生する泡沫体発生部と、を備える。
【発明の効果】
【００１１】
本発明によれば、遠くまで香り成分を供給でき、且つ、視覚的に香りを識別しやすい浮遊性泡沫体等を提供できる。
【図面の簡単な説明】
【００１２】
【図１】図１は、実施の形態１に係る泡沫体発生装置の構成を示す概略図である。
【図２Ａ】図２Ａは、実施の形態に係る浮遊性泡沫体の構成を示す概略断面図である。
【図２Ｂ】図２Ｂは、実施の形態１に係る浮遊性泡沫体の構成を示す概略断面図である。
【図３】図３は、実施の形態１に係る泡沫体発生装置が浮遊性泡沫体を発生させる処理手順を説明するためのフローチャートである。
【図４】図４は、実施の形態２に係る泡沫体発生装置の構成を示す概略図である。
【図５】図５は、実施の形態２に係る浮遊性泡沫体の構成を示す概略断面図である。
【図６】図６は、泡沫体発生装置が備える板体の変形例を示す斜視図である。
【発明を実施するための形態】
【００１３】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する場合がある。
【００１５】
（実施の形態１）
［構成］
まず、図１、図２Ａ及び図２Ｂを参照して、実施の形態に係る浮遊性泡沫体、及び、浮遊性泡沫体を発生する泡沫体発生装置の構成の概要について説明する。
【００１６】
図１は、実施の形態に係る泡沫体発生装置１００の構成を示す概略断面図である。
【００１７】
泡沫体発生装置１００は、香りを発するアロマ発生器等の用途に用いられ、例えば、ユーザに接触する、又は、ユーザの近傍で破裂することで、内包している香り成分を含む気体を抄出し、ユーザに香りを提供する浮遊性泡沫体Ｂを発生する装置である。
【００１８】
図２Ａは、実施の形態に係る浮遊性泡沫体Ｂの構成を示す概略断面図である。
【００１９】
浮遊性泡沫体Ｂは、大気中で浮遊する浮遊性を有する泡である。浮遊性泡沫体Ｂは、いわゆるシャボン玉のような形状であり、内部が気体で充填された球形である。浮遊性泡沫体Ｂの外径は、ユーザが視認できる程度であればよく、例えば、２０μｍ以上程度である。また、浮遊性泡沫体Ｂの外径は、浮遊性泡沫体Ｂが大気中で浮遊していてもユーザの視界を妨げない程度であるとよく、例えば、１００μｍ以下程度であるとよい。
【００２０】
浮遊性泡沫体Ｂは、香り成分を含む香り気体Ａと、香り気体Ａを内包し、水Ｗと色素（具体的には、色素２１０、２１１、２１２の少なくともいずれか）と、界面活性剤Ｌ２とを含む球状に形成された有色液膜Ｌ３と、を備える。
【００２１】
香り気体Ａは、香り成分（香気成分）を含む大気（空気）である。なお、香り気体Ａは、浮遊性泡沫体Ｂの浮遊性を向上させるため、空気ではなく、ヘリウムガス等の空気より軽いガスを含んでもよい。
【００２２】
有色液膜Ｌ３は、香り気体Ａを内包し、水Ｗと色素と界面活性剤Ｌ２とを含む球状に形成されている。そのため、有色液膜Ｌ３は、色素に基づいた色に着色されている。有色液膜Ｌ３の厚みは、特に限定されるものではない。有色液膜Ｌ３の厚みは、例えば、１μｍ〜５μｍ程度である。また、例えば、有色液膜Ｌ３の厚みは、浮遊性泡沫体Ｂの半径の１／２〜１／１０程度でもよい。
【００２３】
図１に示すように、実施の形態に係る泡沫体発生装置１００は、溶液生成部１０と、香料収容部２０と、色素収容部３０と、気体生成部４０と、泡沫体発生部５０と、制御部７０と、を備える。なお、図１では、制御部７０を機能的なブロックとして表している。制御部７０は、例えば、マイコン（マイクロコントローラ）等で実現され、泡沫体発生装置１００の図示しない外殻筐体の内部又は外部に配置されている。また、図１では、供給部６１〜６５等は、模式的に示しており、容器１１〜１３、第１容器２１〜２３、第２容器３１〜３３等は、内部を説明するために断面を模式的に示している。
【００２４】
溶液生成部１０は、水Ｗと色素２１０〜２１２と界面活性剤Ｌ２とを含む有色溶液Ｌを生成する。具体的には、溶液生成部１０は、供給部６１、６３、及び、６４を駆動することで、容器１２に収容されている水Ｗと、容器１３に収容されている界面活性剤Ｌ２と、第２容器３１〜３３にそれぞれ収容されている色素２１０〜２１２の少なくともいずれかと、を混合することで、有色溶液Ｌを生成する。溶液生成部１０は、容器１１と、供給部６１、６３、及び、６４と、を備える。
【００２５】
容器１１は、有色溶液Ｌを収容する容器である。また、容器１１の上部は、例えば、板体５２が、容器１１の内外を移動可能にするために開口が設けられている。
【００２６】
供給部６１は、第２容器３１〜３３のそれぞれに収容されている色素２１０〜２１２を容器１１に供給するためのポンプである。第２容器３１〜３３と容器１１とは、配管等により内部が接続されている。供給部６１は、第２容器３１〜３３と容器１１とを繋ぐ配管を介して第２容器３１〜３３に収容されている色素２１０〜２１２を容器１１へ供給する。
【００２７】
供給部６３は、容器１２に収容されている水を容器１１に供給するためのポンプである。容器１２と容器１１とは、配管等により内部が接続されている。供給部６３は、容器１２と容器１１とを繋ぐ配管を介して容器１２に収容されている水を容器１１へ供給する。
【００２８】
容器１２は、水Ｗを収容する容器である。
【００２９】
供給部６４は、容器１３に収容されている界面活性剤Ｌ２を容器１１に供給するためのポンプである。容器１３と容器１１とは、配管等により内部が接続されている。供給部６４は、容器１３と容器１１とを繋ぐ配管を介して容器１３に収容されている界面活性剤Ｌ２を容器１１へ供給する。
【００３０】
容器１３は、界面活性剤Ｌ２を収容する容器である。
【００３１】
界面活性剤Ｌ２は、内部が空洞の泡状の浮遊性泡沫体Ｂを発生させるために、水Ｗ及び色素２１０〜２１２と混合される界面活性剤である。界面活性剤Ｌ２として採用される材料は、特に限定されない。
【００３２】
なお、供給部６１、６３、６４は、電磁弁等を備えてもよい。
【００３３】
容器１１〜１３は、例えば、ステンレス等の金属材料を用いて形成されているが、樹脂材料を用いて形成されていてもよい。また、容器１１〜１３は、耐酸性若しくは耐アルカリ性又はこれらの両方の性質を有する材料を用いて形成されていてもよい。また、容器１１〜１３は、それぞれ同じ材料で形成されていてもよいし、異なる材料で形成されていてもよい。
【００３４】
容器１１では、供給部６１、６３、及び、６４のそれぞれから供給される水Ｗ、界面活性剤Ｌ２、及び、色素２１０〜２１２の少なくともいずれかが混合されることで、有色溶液Ｌが生成される。
【００３５】
なお、溶液生成部１０は、容器１１の内部に配置され、容器１１に収容されている有色溶液Ｌを攪拌するためのプロペラ等を有する攪拌部をさらに備えてもよい。
【００３６】
色素収容部３０は、それぞれが異なる色の色素２１０〜２１２を収容する複数の第２容器３１〜３３を有する。具体的には、色素収容部３０は、色素２１０を収容する第２容器３１と、色素２１１を収容する第２容器３２と、色素２１２を収容する第２容器３３と、を備える。なお、本実施の形態では、色素収容部３０は、３つの第２容器３１〜３３と、３つの第２容器３１〜３３のそれぞれに収容されている色素２１０〜２１２とを示しているが、色素収容部３０が備える色素を収容する第２容器の数は、特に限定されない。第２容器の数は、２つでもよいし、４以上でもよい。
【００３７】
第２容器３１〜３３は、それぞれ異なる色素２１０〜２１２を収容する容器である。例えば、色素２１０は、赤色を示す色素であり、色素２１１は、緑色を示す色素であり、色素２１２は、青色を示す色素であるように、色素２１０〜２１２はそれぞれ異なる色を示す色素である。なお、色素が示す色は、特に限定されない。色素が示す色は、例えば、オレンジ色でもよいし、黄緑色でもよい。
【００３８】
第２容器３１〜３３は、例えば、ステンレス等の金属材料を用いて形成されているが、樹脂材料を用いて形成されていてもよい。また、第２容器３１〜３３は、耐酸性若しくは耐アルカリ性又はこれらの両方の性質を有する材料を用いて形成されていてもよい。また、第２容器３１〜３３は、それぞれ同じ材料で形成されていてもよいし、異なる材料で形成されていてもよい。
【００３９】
気体生成部４０は、香り成分を含む香り気体Ａを生成する。気体生成部４０は、例えば、香料収容部２０に収容されている液体香料２２０〜２２２の少なくともいずれかである液体香料Ｌ１を気化させることで、香り気体Ａを生成する。気体生成部４０は、例えば、容器４１と、気化部４２と、を備える。なお、本実施の形態では、液体香料２２０〜２２２の少なくともいずれかによって構成され、容器４１に収容されている液体香料を液体香料Ｌ１と呼称している。液体香料Ｌ１は、例えば、液体香料２２０でもよいし、液体香料２２１と液体香料２２２との混合物でもよく、任意に構成されてよい。液体香料２２０〜２２２は、例えば、アロマオイルである。
【００４０】
容器４１は、液体香料Ｌ１を収容するための容器である。容器４１は、第１容器２１〜２３と配管等により接続されている。また、容器４１は、例えば、容器４１の内部で生成された香り気体Ａを泡沫体発生部５０が備える送風部５１へ導く配管等と接続されている。容器４１は、例えば、ステンレス等の金属材料を用いて形成されているが、樹脂材料を用いて形成されていてもよい。また、容器４１は、耐酸性若しくは耐アルカリ性又はこれらの両方の性質を有する材料を用いて形成されていてもよい。
【００４１】
気化部４２は、容器４１に収容されている液体香料Ｌ１を気化させるための装置である。気化部４２は、例えば、ヒータであり、液体香料Ｌ１を加熱することで気化させる。液体香料Ｌ１が気化部４２によって気化されることで生成された香り気体Ａは、供給部６２によって泡沫体発生部５０へ送気される。なお、泡沫体発生装置１００は、超音波方式又はベンチュリ方式等で気化した後で、時間をおくこと、及び／又は、温度を上げることで、容器４１に収容されている機能水Ｌ１を気化させてもよい。このように、泡沫体発生装置１００が容器４１に収容されている機能水Ｌ１を気化させる構成及び方法は、特に限定されない。
【００４２】
供給部６２は、気体生成部４０で生成された香り気体Ａを泡沫体発生部５０へ送気するためのファンである。
【００４３】
香料収容部２０は、それぞれが異なる香りを有する液体香料２２０〜２２２を収容する複数の第１容器２１〜２３を有する。具体的には、香料収容部２０は、液体香料２２０を収容する第１容器２１と、液体香料２２１を収容する第１容器２２と、液体香料２２２を収容する第１容器２３と、を備える。なお、本実施の形態では、香料収容部２０は、３つの第１容器２１〜２３と、３つの第１容器２１、２２、２３のそれぞれに収容されている液体香料２２０〜２２２とを示しているが、香料収容部２０が備える液体香料を収容する第１容器の数は、特に限定されない。第１容器の数は、２つでもよいし、４以上でもよい。
【００４４】
第１容器２１〜２３は、それぞれ異なる香りを有する液体香料２２０〜２２２を収容する容器である。例えば、液体香料２２０は、オレンジの香りを有する液体香料であり、液体香料２２１は、ハーブの香りを有する液体香料であり、液体香料２２２は、レモンの香りを有する液体香料であるように、液体香料２２０〜２２２はそれぞれ異なる香りを有する液体香料である。なお、液体香料が有する香りは、特に限定されない。液体香料が有する香りは、例えば、バニラの香りでもよいし、バラの香りでもよい。
【００４５】
第１容器２１〜２３は、例えば、ステンレス等の金属材料を用いて形成されているが、樹脂材料を用いて形成されていてもよい。また、第１容器２１〜２３は、耐酸性若しくは耐アルカリ性又はこれらの両方の性質を有する材料を用いて形成されていてもよい。また、第１容器２１〜２３は、それぞれ同じ材料で形成されていてもよいし、異なる材料で形成されていてもよい。
【００４６】
供給部６５は、第１容器２１〜２３のそれぞれに収容されている液体香料２２０〜２２２を容器４１に供給するためのポンプである。第１容器２１〜２３と容器４１とは、配管等により内部が接続されている。供給部６５は、第１容器２１〜２３と容器１１とを繋ぐ配管を介して第１容器２１〜２３に収容されている液体香料２２０〜２２２を容器４１へ供給する。
【００４７】
泡沫体発生部５０は、有色溶液Ｌから形成される有色液膜Ｌ３が香り気体Ａを覆った浮遊性泡沫体Ｂを発生する。泡沫体発生部５０は、送風部５１と、板体５２と、を備える。板体５２には、１又は複数の貫通孔が形成されている。図１には、板体５２には、１つの貫通孔５３が形成されている場合を例示している。
【００４８】
送風部５１は、気体生成部４０で生成された香り気体Ａを板体５２に形成された貫通孔５３へ向けて送風する。送風部５１は、例えば、ファンである。
【００４９】
板体５２は、貫通孔５３が形成された平板状の板体である。板体５２は、容器１１の内部と外部とを移動可能に図示しない可動ステージ等の可動機構に取り付けられている。板体５２は、厚み方向に貫通する貫通孔５３が形成されている。貫通孔５３の径は、発生させたい浮遊性泡沫体Ｂの外径によって任意に定められてよい。また、板体５２の厚みもまた、任意に設定されてよい。
【００５０】
まず、板体５２は、図示しない可動ステージ等によって位置５２ａに移動されて容器１１に収容されている有色溶液Ｌに浸水される。このとき、板体５２は、その全てが有色溶液Ｌに浸水される必要はなく、貫通孔５３が有色溶液Ｌで満たされればよい。
【００５１】
次に、板体５２は、容器１１の中から取り出されて、送風部５１の前、つまり、送風部５１によって生成される気流が貫通孔５３を通過する位置に配置される。この際に、貫通孔５３には、有色溶液Ｌの液膜が形成される。
【００５２】
次に、送風部５１から、香り気体Ａを含む空気の気流が貫通孔５３に向けて生成される。これにより、貫通孔５３に形成されている液膜がたわみ、さらに、液膜が板体５２から離れて香り気体Ａを内包する有色液膜Ｌ３（図２Ａ参照）となる、つまり、浮遊性泡沫体Ｂが発生される。
【００５３】
制御部７０は、泡沫体発生装置１００の全体的な動作を制御する制御装置である。具体的には、制御部７０は、気化部４２、送風部５１、供給部６１〜６５、及び、図示しない板体５２の位置を移動させる可動機構の動作を制御する。例えば、制御部７０は、気化部４２を制御することで、気化部４２に容器４１に収容されている液体香料Ｌ１を気化させて、香り気体Ａを生成するタイミングを制御する。また、例えば、制御部７０は、泡沫体発生部５０を制御することで、浮遊性泡沫体Ｂを発生させるタイミングを制御する。
【００５４】
制御部７０は、例えば、マイクロコントローラ等で実現される。具体的には、制御部７０は、プログラムが格納された不揮発性メモリ、プログラムを実行するための一時的な記憶領域である揮発性メモリ、入出力ポート、プログラムを実行するプロセッサ等で実現される。制御部７０は、各動作を実行する専用の電子回路で実現されてもよい。
【００５５】
また、制御部７０は、機能的には、選択部７１と、記憶部７２と、を備える。
【００５６】
選択部７１は、香り成分と色素との組み合わせを示す相関情報７３に基づいて、香料収容部２０及び色素収容部３０にそれぞれ収容されている液体香料２２０〜２２２及び色素２１０〜２１２を選択する処理部である。気体生成部４０は、選択部７１が選択した液体香料２２０〜２２２の少なくともいずれかを気化することで香り気体Ａを生成する。具体的には、選択部７１は、供給部６５を駆動することで、気体生成部４０に、相関情報７３に基づいて選択した液体香料２２０〜２２２の少なくともいずれかを気化させることで香り気体Ａを生成させる。また、溶液生成部１０は、選択部７１が選択した色素２１０〜２１２の少なくともいずれかを含む有色溶液Ｌを生成する。具体的には、選択部７１は、供給部６１を駆動することで、溶液生成部１０に、相関情報７３に基づいて選択した色素２１０〜２１２の少なくともいずれかから有色溶液を生成させる。
【００５７】
色と香りとには、人が受ける印象に相関関係があることが知られている。例えば、人は、オレンジ色を見た場合、当該人に香りが示す色をイメージさせると、オレンジの香りをイメージしやすい。また、例えば、人は、オレンジの香りを嗅いだ場合、当該人に色が示す香りをイメージさせると、オレンジ色をイメージしやすい。このように、香りと、当該香りが人にイメージさせやすい色とには、相関関係がある。相関情報７３には、「香り：オレンジ」の場合、「色：オレンジ」のように、香りと色との組み合わせに関する情報が含まれている。選択部７１は、相関情報７３に含まれる香りと色との組み合わせから、浮遊性泡沫体Ｂが備える有色液膜Ｌ３の色（つまり、色素）と、香り気体Ａの香り（つまり、香り成分、より具体的には、液体香料）とを選択する。
【００５８】
例えば、泡沫体発生装置１００は、図示しないタッチパネル等のユーザインターフェースを有する。選択部７１は、ユーザインターフェースに入力された情報、及び、相関情報７３に基づいて、供給部６１及び供給部６５を動作させて、所定の色を示す有色液膜Ｌ３、及び、所定の香りを含む香り気体Ａを備える浮遊性泡沫体Ｂを発生させる。例えば、選択部７１は、ユーザインターフェースに入力された情報が「オレンジ」を示す情報だったとする。この場合、選択部７１は、相関情報７３に基づいて、供給部６１を駆動させて対応する色素を容器１１に供給させ、且つ、供給部６５を駆動させて対応する液体香料を容器４１に供給させ、オレンジ色を示す有色液膜Ｌ３、及び、オレンジの香りを含む香り気体Ａを備える浮遊性泡沫体Ｂを泡沫体発生部５０に発生させる。
【００５９】
このように、泡沫体発生装置１００は、相関情報７３に基づき選択部７１によって選択された相関性を有する色及び香りからなる浮遊性泡沫体Ｂを発生させる。また、これにより、泡沫体発生装置１００は、それぞれが色と香りとに相関性を有し、互いに色及び香りが異なる複数の浮遊性泡沫体からなる泡沫集合体を発生させることができる。
【００６０】
図２Ｂは、実施の形態１に係る浮遊性泡沫体の構成を示す概略断面図である。
【００６１】
泡沫集合体２００は、浮遊性泡沫体Ｂの集合である。泡沫集合体２００は、第１泡沫体Ｂ１と、第２泡沫体Ｂ２と、を備える。
【００６２】
第１泡沫体Ｂ１は、浮遊性泡沫体Ｂと同様に、大気中に浮遊する浮遊性泡沫体であって、香り成分を含む香り気体Ａ１と、香り気体Ａ１を内包し、球状に形成された有色液膜Ｌ３１と、を備える。また、第２泡沫体Ｂ２は、浮遊性泡沫体Ｂと同様に、大気中に浮遊する浮遊性泡沫体であって、香り成分を含む香り気体Ａ２と、香り気体Ａ２を内包し、球状に形成された有色液膜Ｌ３２と、を備える。ここで、第１泡沫体Ｂ１と第２泡沫体Ｂ２とは、香り気体に含まれる香り成分及び色素がそれぞれ異なり、且つ、香り成分と色素とは、香りと当該香りが人にイメージさせやすい色との上述した相関性を有する。具体的には、香り気体Ａと香り気体Ａ２とでは、含まれている香り成分が異なる。また、有色液膜Ｌ３１と有色液膜Ｌ３２とでは、含まれている色素が異なる。
【００６３】
なお、泡沫集合体２００が備える複数の浮遊性泡沫体（例えば、第１泡沫体Ｂ１及び第２泡沫体Ｂ２）は、互いに接触していてもよいし、離れていてもよい。また、本実施の形態では、泡沫集合体２００は、第１泡沫体Ｂ１及び第２泡沫体Ｂ２の２つの浮遊性泡沫体を備えたが、浮遊性泡沫体の数は特に限定されず、３以上であってもよい。
【００６４】
記憶部７２は、相関情報７３を記憶するＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｍｏｒｙ）等のメモリである。
【００６５】
なお、制御部７０は、供給部６１〜６５、気化部４２等を制御することができればよく、無線信号を送信することで供給部６１〜６５、気化部４２等を制御してもよいし、供給部６１〜６５、気化部４２等と制御線等により接続されていてもよい。
【００６６】
また、制御部７０は、相関情報７３及び相関情報７３を記憶するための記憶部７２を有していてもよいし、有していなくてもよい。制御部７０は、例えば、外部サーバと通信するための通信インターフェースを有し、当該通信インターフェースを介して、相関情報７３を取得してもよい。選択部７１は、通信インターフェースを介して取得した相関情報７３に基づいて、浮遊性泡沫体Ｂに採用する色素及び液体香料を選択してもよい。
【００６７】
［処理手順］
続いて、図３を参照して、泡沫体発生装置１００が浮遊性泡沫体Ｂを発生させるまでの処理手順について説明する。
【００６８】
図３は、実施の形態に係る泡沫体発生装置１００が浮遊性泡沫体Ｂを発生させる処理手順を説明するためのフローチャートである。
【００６９】
まず、選択部７１は、相関情報７３に基づいて、複数の液体香料２２０〜２２２、及び、複数の色素２１０〜２１２の中から、採用する液体香料及び色素を選択する（ステップＳ１０１）。なお、香料収容部２０に収容されている複数の液体香料２２０〜２２２、及び、色素収容部３０に収容されている複数の色素２１０〜２１２に関する情報は、予め記憶部７２に記憶されていてもよい。
【００７０】
次に、気体生成部４０は、液体香料Ｌ１を気化させることで、香り気体Ａを生成する（ステップＳ１０２）。具体的には、ステップＳ１０２において、まず、選択部７１は、ステップＳ１０１で選択した液体香料を容器４１へ供給する。次に、気化部４２は、容器４１に収容されている液体香料Ｌ１を気化させることで、香り気体Ａを生成する。
【００７１】
次に、溶液生成部１０は、水Ｗと色素と界面活性剤Ｌ２とを混合することで、有色溶液Ｌを生成する（ステップＳ１０３）。具体的には、ステップＳ１０３では、溶液生成部１０は、供給部６３を駆動させて容器１２に収容されている水Ｗを容器１１に移動させ、且つ、供給部６４を駆動させて容器１３に収容されている界面活性剤Ｌ２を容器１１に移動させ、且つ、供給部６３を駆動させて、ステップＳ１０１で選択部７１が選択した色素を容器１１に移動させることで、容器１１内で水Ｗと色素と界面活性剤Ｌ２とを混合させ、有色溶液Ｌを生成する。
【００７２】
次に、泡沫体発生部５０は、浮遊性泡沫体Ｂを発生させる（ステップＳ１０４）具体的には、ステップＳ１０４では、泡沫体発生部５０は、まず、板体５２を、図示しない可動ステージ等によって位置５２ａに移動させて容器１１に収容されている有色溶液Ｌに浸水させる。さらに、泡沫体発生部５０は、板体５２を容器１１の中から取り出し、送風部５１の前に配置させる。さらに、泡沫体発生部５０は、送風部５１を駆動させて、香り気体Ａを含む空気を貫通孔５３に向けて送風することで、浮遊性泡沫体Ｂを発生させる。
【００７３】
［効果等］
以上のように、実施の形態１に係る浮遊性泡沫体Ｂは、大気中で浮遊する浮遊性泡沫体であって、香り成分を含む香り気体Ａと、香り気体Ａを内包し、水Ｗと色素（具体的には、色素２１０〜２１２の少なくともいずれか）と界面活性剤Ｌ２とを含む球状に形成された有色液膜Ｌ３と、を備える。
【００７４】
このような構成によれば、浮遊性泡沫体Ｂにおいては、内部に香り気体Ａを含む空気を備えるために、全てが液体からなるミスト等と比較して、体積当たりの重量が軽くなる。そのため、浮遊性泡沫体Ｂによれば、全てが液体からなるミスト等と比較して、大気中で浮遊させやすくなる。そのため、浮遊性泡沫体Ｂは、体積に対して大気中での浮遊時間を長くなり、浮遊性泡沫体Ｂをより遠くへ飛ばしやすくなる。また、浮遊性泡沫体Ｂは、有色液膜Ｌ３が、色素によって色付けされている。例えば、有色液膜Ｌ３の色と、香り気体Ａの香りとには、香りと当該香りが人にイメージさせやすい色との相関性を有する。これにより、ユーザが、例えば、浮遊性泡沫体Ｂを視認した場合に、視覚的に浮遊性泡沫体Ｂに内包（封入）されている香りを識別しやすい。このように、浮遊性泡沫体Ｂによれば、遠くまで香り成分を供給でき、且つ、視覚的に香りを識別しやすい。
【００７５】
また、実施の形態１に係る泡沫集合体２００は、浮遊性泡沫体である第１泡沫体Ｂ１と、浮遊性泡沫体である第２泡沫体Ｂ２と、を備える。第１泡沫体Ｂ１と第２泡沫体Ｂ２とは、香り気体Ａに含まれる香り成分及び色素がそれぞれ異なり、且つ、香り成分と色素とは、相関性を有する。
【００７６】
このような構成によれば、泡沫集合体２００が備える第１泡沫体Ｂ１及び第２泡沫体Ｂ２は、それぞれが香りと色とに香りと当該香りが人にイメージさせやすい色との相関性を有する。これにより、第１泡沫体Ｂ１及び第２泡沫体Ｂ２を色素により単に着色するだけでなく、ユーザが、例えば、第１泡沫体Ｂ１及び第２泡沫体Ｂ２を視認した場合に、視覚的に第１泡沫体Ｂ１及び第２泡沫体Ｂ２それぞれに内包（封入）されている香りを識別しやすくすることができる。また、建屋内等の所定の空間に泡沫集合体２００を放出することで、様々な色と香りとを有する第１泡沫体Ｂ１及び第２泡沫体Ｂ２によって、空間内のデザイン性を向上させることができる。
【００７７】
また、実施の形態に係る泡沫体発生装置１００は、香り成分を含む香り気体を生成する気体生成部４０と、水Ｗと色素（具体的には、色素２１０〜２１２の少なくともいずれか）と界面活性剤Ｌ２とを含む有色溶液Ｌを生成する溶液生成部１０と、有色溶液Ｌから形成される有色液膜Ｌ３が香り気体Ａを覆った浮遊性泡沫体Ｂを発生する泡沫体発生部５０と、を備える。
【００７８】
このような構成によれば、泡沫体発生装置１００は、有色液膜Ｌ３で香り気体Ａを覆った浮遊性泡沫体Ｂを発生させることができる。そのため、このような構成によれば、泡沫体発生装置１００は、遠くまで香り成分を供給でき、且つ、視覚的に香りを識別しやすい浮遊性泡沫体Ｂを発生させることができる。
【００７９】
例えば、気体生成部４０は、香り成分を含む液体香料Ｌ１を気化することで香り気体Ａを生成する。
【００８０】
このような構成によれば、簡便な構成で所望の香りを有する香り気体Ａを生成できる。
【００８１】
また、例えば、泡沫体発生装置１００は、さらに、それぞれが異なる香りを有する液体香料２２０〜２２２を収容する複数の第１容器２１〜２３を有する香料収容部２０と、それぞれが異なる色の色素２１０〜２１２を収容する複数の第２容器３１〜３３を有する色素収容部３０と、香り成分と色素との組み合わせを示す相関情報７３に基づいて、香料収容部２０及び色素収容部３０にそれぞれ収容されている液体香料２２０〜２２２及び色素２１０〜２１２を選択する選択部７１と、を備える。気体生成部４０は、例えば、選択部７１が選択した液体香料を気化することで香り気体Ａを生成し、溶液生成部１０は、例えば、選択部７１が選択した色素を含む有色溶液Ｌを生成する。
【００８２】
このような構成によれば、泡沫体発生装置１００が発生する浮遊性泡沫体Ｂは、香り気体Ａが有する香りと有色液膜Ｌ３が有する色とに、香りと当該香りが人にイメージさせやすい色との相関性を有する。これにより、浮遊性泡沫体Ｂを色素により単に着色するだけでなく、ユーザが、例えば、浮遊性泡沫体Ｂを視認した場合に、視覚的に浮遊性泡沫体Ｂに内包されている香りを識別しやすくすることができる。
【００８３】
（実施の形態２）
続いて、図４及び図５を参照して、実施の形態２に係る浮遊性泡沫体及び泡沫体発生装置について説明する。
【００８４】
なお、実施の形態２に係る浮遊性泡沫体及び泡沫体発生装置の説明においては、実施の形態１に係る浮遊性泡沫体Ｂ及び泡沫体発生装置１００とは異なる点を中心に説明し、実質的に同様の構成については同様の符号を付し、説明を省略又は簡略化する場合がある。
【００８５】
図４は、実施の形態２に係る泡沫体発生装置１００ａの構成を示す概略図である。図５は、実施の形態２に係る浮遊性泡沫体Ｂ４の構成を示す概略断面図である。
【００８６】
図４に示すように、泡沫体発生装置１００ａは、泡沫体発生装置１００と、気体生成部４０ａが異なる。具体的には、泡沫体発生装置１００ａが備える気体生成部４０ａは、気体生成部４０とは異なり、香り成分を含む液体香料２２０〜２２２をミスト化した香りミストＭを生成することで、香りミストＭを含む香り気体Ａ３を生成するミスト生成部４２ａを備える。
【００８７】
ミスト生成部４２ａは、容器４１に収容されている液体香料Ｌ１をミスト化する装置である。ミスト生成部４２ａは、例えば、超音波振動子であり、制御部７０によって制御されることで、液体香料Ｌ１に超音波振動を印加して、液体香料Ｌ１をミスト化する。
【００８８】
液体香料Ｌ１がミスト化されることで生成された香りミストＭを含む香り気体Ａ３は、供給部６２によって泡沫体発生部５０に供給される。このように、香り気体Ａ３は、香り成分を含む液体香料２２０〜２２２をミスト化した香りミストＭを含む。つまり、浮遊性泡沫体Ｂ４の内部には、香り成分を含有した香りミストＭが浮遊している空気が香り気体Ａ３として存在している。
【００８９】
このような構成によれば、浮遊性泡沫体Ｂ４は、香りミストＭによってより香り成分を含みやすくなる。そのため、このような構成によれば、浮遊性泡沫体Ｂ４は、より強い香りを放出することができる。また、泡沫体発生装置１００ａは、香り成分を含む液体香料２２０〜２２２をミスト化した香りミストＭを生成することで、香りミストＭを含む香り気体Ａ３を生成するミスト生成部４２ａを備えることで、より強い香りを放出することができる浮遊性泡沫体Ｂ４を発生させることができる。
【００９０】
図５に示すように、浮遊性泡沫体Ｂ４は、香り成分を含む香りミストＭを含む香り気体Ａ３と、香り気体Ａ３を内包し、水Ｗと色素と、界面活性剤Ｌ２とを含む球状に形成された有色液膜Ｌ３と、を備える。
【００９１】
香りミストＭは、液体香料Ｌ１がミスト化されることで生成されるため、香り成分を含む。香りミストＭの粒径（外径）は、浮遊性泡沫体Ｂ４の内径より小さければ任意に設定されてよく、例えば、ｎｍオーダ〜μｍオーダ程度である。
【００９２】
また、香りミストＭは、有色液膜Ｌ３と混ざり合わないようにするために、疎水性を有するとよい。つまり、液体香料２２０〜２２２は、疎水性を有するとよい。
【００９３】
このような構成によれば、香りミストＭは、水Ｗから構成される有色液膜Ｌ３と混ざり合いにくくなる。そのため、香りミストＭは、浮遊性泡沫体Ｂ４の内部でより長い時間存在することができる。
【００９４】
（その他の実施の形態）
以上、本発明に係る浮遊性泡沫体等について、上記の実施の形態及び変形例に基づいて説明したが、本発明は、上記の実施の形態に限定されるものではない。
【００９５】
例えば、上記実施の形態では、板体５２には、１つの貫通孔５３が形成されている。しかしながら、板体に形成される貫通孔の個数は特に限定されるものではない。例えば、板体には、２以上の貫通孔が形成されてもよい。
【００９６】
図６は、実施の形態に係る泡沫体発生装置１００が備える板体の変形例を示す図である。
【００９７】
図６に示すように、板体５４には、３つの貫通孔５５〜５７が形成されている。このような構成によれば、送風部５１による一度の送風で複数の浮遊性泡沫体Ｂを発生させることができる。
【００９８】
また、例えば、板体５４に形成される貫通孔５５〜５７は、それぞれ径が異なる。このような構成によれば、泡沫体発生装置は、外径の異なる浮遊性泡沫体を発生させることができる。これにより、泡沫体発生装置は、有色溶液Ｌの材料を変えずに、大気中で有色液膜Ｌ３が自然に破れるタイミングが異なる浮遊性泡沫体Ｂを発生させることができる。そのため、このような構成によれば、泡沫体発生装置が配置される所定の空間において、より均一に機能気体を散布することができる。
【００９９】
また、例えば、板体は、有色溶液Ｌを保持し、且つ、送風部によって風が送風された際に浮遊性泡沫体Ｂを発生することができればよく、フェルト等の内部に通気する隙間を有する材料でもよい。
【０１００】
また、例えば、板体は、複数の貫通孔が側壁に形成された筒状の筒体でもよい。例えば、筒体の側壁の一部が容器１１に収容されている有色溶液Ｌに浸水するように筒体を配置し、モータ等によって筒体の軸を中心に筒体を回動させ、且つ、送風部５１によって、筒体の内部から側壁（具体的には、側壁に形成された貫通孔）に向かって香り気体Ａを送気する。このような構成によれば、簡便に連続して浮遊性泡沫体Ｂを発生させることができる。
【０１０１】
また、浮遊性泡沫体Ｂにおける有色液膜Ｌ３の厚みは、有色液膜Ｌ３の揮発速度、浮遊性泡沫体Ｂの重量、大気における気温、湿度、気体成分等の条件に応じて適宜変更がなされてよい。有色液膜Ｌ３の厚みは、揮発又は欠損することで予め任意に定められる所定距離に至るまでに香り気体Ａを大気に触れさせるように放出させるような厚みに設定されればよい。
【０１０２】
また、例えば、実施の形態１では、気体生成部４０は、気化部４２を有する。また、例えば、実施の形態２では、気体生成部４０ａは、ミスト生成部４２ａを有する。本発明に係る泡沫体発生装置が備える気体生成部は、気化部と、ミスト生成部との両方を備えてもよい。これにより、泡沫体発生装置は、液体香料が気化された香り成分と、香りミストとを含む香り気体を発生させることができる。そのため、泡沫体発生装置は、より強い香りを含む浮遊性泡沫体を発生することができる。
【０１０３】
また、例えば、実施の形態２では、ミスト生成部は、超音波振動子であるとして説明した。しかしながら、ミスト生成部は、液体香料をミスト化することができればよく、これに限定されない。ミスト生成部は、例えば、液体香料を静電霧化する静電霧化装置でもよい。
【０１０４】
また、本実施の形態では、泡沫体発生装置は、それぞれが異なる液体香料を収容する複数の第１容器と、それぞれが異なる色素を収容する複数の第２容器とを備え、第１容器内の液体香料と第２容器内の色素とを任意に利用できる構成を例示した。しかしながら、泡沫体発生装置の構成は、これに限定されない。例えば、泡沫体発生装置は、液体香料が収容される第１容器を１つと、色素が収容される第２容器を１つと、を備える構成でもよい。また、泡沫体発生装置は、これら容器を着脱可能に備えてもよい。例えば、液体香料が収容される第１容器は、容器４１と接続される配管と着脱可能な構成でもよい。また、例えば、色素が収容される第２容器は、容器１１と接続される配管と着脱可能な構成でもよい。このような構成とすることで、液体香料、又は、色素が収容されている容器を、異なる液体香料、又は、異なる色素が収容されている容器に交換するだけで、泡沫体発生装置が発生させる浮遊性泡沫体の色及び又は香りを簡便に変更することができる。また、このような構成とすることで、泡沫体発生装置が備える容器の数が上記実施の形態に示す泡沫体発生装置の容器の数より少なくなるために、泡沫体発生装置の小型化及び低コスト化をすることができる。
【０１０５】
また、上記実施の形態において、制御部７０の構成要素の全部又は一部は、専用のハードウェアで構成されてもよく、或いは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサ等のプログラム実行部が、ＨＤＤ（Ｈａｒｄ  Ｄｉｓｋ  Ｄｒｉｖｅ）又は半導体メモリ等の記録媒体に記録されたソフトウェアプログラムを読み出して実行することによって実現されてもよい。
【０１０６】
また、制御部７０の構成要素は、１つ又は複数の電子回路で構成されてもよい。１つ又は複数の電子回路は、それぞれ、汎用的な回路でもよいし、専用の回路でもよい。
【０１０７】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０１０８】
また、本発明の全般的又は具体的な態様は、システム、装置、方法、集積回路又はコンピュータプログラムで実現されてもよい。或いは、当該コンピュータプログラムが記憶された光学ディスク、ＨＤＤ若しくは半導体メモリ等のコンピュータ読み取り可能な非一時的記録媒体で実現されてもよい。また、システム、装置、方法、集積回路、コンピュータプログラム及び記録媒体の任意な組み合わせで実現されてもよい。
【０１０９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１０】
１０  溶液生成部
１１、１２、１３、４１、  容器
２０  香料収容部
２１、２２、２３  第１容器
３０  色素収容部
３１、３２、３３  第２容器
４０、４０ａ  気体生成部
４２ａ  ミスト生成部
５０  泡沫体発生部
７１  選択部
７３  相関情報
１００、１００ａ  泡沫体発生装置
２００  泡沫集合体
２１０、２１１、２１２  色素
２２０、２２１、２２２、Ｌ１  液体香料
Ａ、Ａ１、Ａ２、Ａ３  香り気体
Ｂ、Ｂ４  浮遊性泡沫体
Ｂ１  第１泡沫体
Ｂ２  第２泡沫体
Ｌ  有色溶液
Ｌ２  界面活性剤
Ｌ３、Ｌ３１、Ｌ３２  有色液膜
Ｍ  香りミスト
Ｗ  水
【図１】
2020005994.tif 000003
【図２Ａ】
2020005994.tif 000004
【図２Ｂ】
2020005994.tif 000005
【図３】
2020005994.tif 000006
【図４】
2020005994.tif 000007
【図５】
2020005994.tif 000008
【図６】
2020005994.tif 000009